(57)【要約】【課題】  遮熱効果が高い屋根外装構造を提供することにある。【解決手段】  波形の凹凸を有する屋根材の上面を覆う通気性を有さない遮熱シートと、屋根材の側方の屋根材と遮熱シートと間の開口部を塞ぐ封止部材とを備え、屋根材と遮熱シートとの間に、空気層を設けたことを特徴とし、また、遮熱シートの表面が、アルミ箔で形成されていることを特徴とし、さらに、屋根材の凸状の峰に沿って、上面が平坦な下方が開口した略Ｃ字状の棟金具を、峰に所定間隔で設け、棟金具の上面を覆うように、略門状で峰方向に伸びるベースカバーを設け、ベースカバーの上から屋根材全体を遮熱シートで覆い、ベースカバーの上に略門状で峰方向に伸びる押えカバーを設け、遮熱シートをベースカバーと押えカバーとで固定することを特徴とする。【選択図】図１
2015143467.tif 000002
【特許請求の範囲】
【請求項１】
建築物の屋根表面を形成する屋根材に装着する屋根外装構造において、
波形の凹凸を有する該屋根材の上面を覆う通気性を有さない遮熱シートと、
該屋根材の側方の該屋根材と該遮熱シートと間の開口部を塞ぐ封止部材とを備え、
該屋根材と該遮熱シートとの間に、空気層を設けたことを特徴とする屋根外装構造。
【請求項２】
前記遮熱シートの表面が、アルミ箔で形成されていることを特徴とする請求項１記載の屋根外装構造。
【請求項３】
前記遮熱シートの前記アルミ箔の下層に、樹脂製シートからなる断熱層を有することを特徴とする請求項２記載の屋根外装構造。
【請求項４】
前記遮熱シートの前記アルミ箔の最下層に、他のアルミ箔を有することを特徴とする請求項２又は請求項３記載の屋根外装構造。
【請求項５】
前記屋根材の凸状の峰に沿って、上面が平坦な下方が開口した略Ｃ字状の棟金具を、該峰に所定間隔で設け、
該棟金具の上面を覆うように、略門状で峰方向に伸びるベースカバーを設け、
該ベースカバーの上から該屋根材全体を前記遮熱シートで覆い、
該ベースカバーの上に略門状で峰方向に伸びる押えカバーを設け、該遮熱シートを該ベースカバーと該押えカバーとで固定することを特徴とする請求項１〜請求項４のいずれかに記載の屋根外装構造。
【請求項６】
前記屋根材の凸状の峰に沿って、上面が平坦な下方が開口した略Ｃ字状の棟金具を、該峰に所定間隔で設け、
該棟金具の上面を覆うように、略門状で峰方向に伸びるベースカバーを設け、
該ベースカバーの上から該屋根材全体を前記遮熱シートで覆い、
該ベースカバーの上に略逆門状で峰方向に伸びる押えバーを設け、該遮熱シートを該ベースカバーと該押えバーとで固定することを特徴とする請求項１〜請求項４のいずれかに記載の屋根外装構造。
【発明の詳細な説明】
【技術分野】
【０００１】
本発明は、建築物の屋根表面を形成する屋根材に装着する屋根外装構造に関する。
【背景技術】
【０００２】
従来より、屋根の温度上昇を防止するために屋根の上にシートを設ける屋根外装構造が提案されている。例えば、特許文献１における屋根外装構造をなす屋根用シートは、温度上昇を防止するために屋根の上に設置される屋根用シートであって、シートと屋根との間の空間の風通しを十分に確保することができるものである。
【０００３】
具体的には、平行に並んで設置される複数のシート片から構成される遮光シート部と、屋根に固定される部材であってシート片の両端を屋根に固定するシート止め部材とを備えおり、各シート片の境界部分がスリットとして機能し、スリットを介して、遮光シート部と屋根との間の通風空間に風が出入り可能である。また、シート片は通風機能を有するメッシュのシートで、シート片自体が風を通す。
【先行技術文献】
【特許文献】
【０００４】
【特許文献１】特開２００９−２２１８３７号公報
【発明の概要】
【発明が解決しようとする課題】
【０００５】
しかしながら、従来の屋根外装構造だと、シートと屋根材との間に通気性があり、シートによる遮熱効果を十分に得ることができなかった。
【０００６】
本発明は、このような事情に鑑みてなされたもので、遮熱効果が高い屋根外装構造を提供することにある。
【課題を解決するための手段】
【０００７】
請求項１記載の屋根外装構造は、波形の凹凸を有する屋根材の上面を覆う通気性を有さない遮熱シートと、屋根材の側方の屋根材と遮熱シートと間の開口部を塞ぐ封止部材とを備え、屋根材と遮熱シートとの間に、空気層を設けたことを特徴とする。
【０００８】
請求項２記載の屋根外装構造は、遮熱シートの表面が、アルミ箔で形成されていることを特徴とする。
【０００９】
請求項３記載の屋根外装構造は、遮熱シートの前記アルミ箔の下層に、樹脂製シートからなる断熱層を有することを特徴とする。
【００１０】
請求項４記載の屋根外装構造は、遮熱シートのアルミ箔の最下層に、他のアルミ箔を有することを特徴とする。
【００１１】
請求項５記載の屋根外装構造は、屋根材の凸状の峰に沿って、上面が平坦な下方が開口した略Ｃ字状の棟金具を、峰に所定間隔で設け、棟金具の上面を覆うように、略門状で峰方向に伸びるベースカバーを設け、ベースカバーの上から屋根材全体を遮熱シートで覆い、ベースカバーの上に略門状で峰方向に伸びる押えカバーを設け、遮熱シートをベースカバーと押えカバーとで固定することを特徴とする。
【００１２】
請求項６記載の屋根外装構造は、屋根材の凸状の峰に沿って、上面が平坦な下方が開口した略Ｃ字状の棟金具を、峰に所定間隔で設け、棟金具の上面を覆うように、略門状で峰方向に伸びるベースカバーを設け、ベースカバーの上から屋根材全体を遮熱シートで覆い、ベースカバーの上に略逆門状で峰方向に伸びる押えバーを設け、遮熱シートをベースカバーと押えバーとで固定することを特徴とする。
【発明の効果】
【００１３】
請求項１に記載の発明によれば、屋根材と遮熱シートとの間に、空気層を設けたことから、遮熱効果を高めることができる。
【００１４】
請求項２に記載の発明によれば、遮熱シートの表面をアルミ箔で形成させることで、太陽からの輻射熱を抑えることができ、遮熱効果を一層高めることができる。
【００１５】
請求項３に記載の発明によれば、遮熱シートのアルミ箔の下層に、樹脂製シートからなる断熱層を設けることで、遮熱効果を一層高めることができる。
【００１６】
請求項４に記載の発明によれば、遮熱シートのアルミ箔の最下層に、他のアルミ箔を有することで、冬期などに建築物の内部から放熱される輻射熱を反射することができ、冬期などに建築物を保温することが可能になる。
【００１７】
請求項５に記載の発明によれば、略門状で峰方向に伸びるベースカバーを設け、ベースカバーの上から屋根材全体を遮熱シートで覆い、ベースカバーの上に略門状で峰方向に伸びる押えカバーを設け、遮熱シートをベースカバーと押えカバーとで固定するようにすることで、遮熱シートを交換する場合、押えカバーだけを取り外して交換すればよく、効率的に作業を行うことができる。
【００１８】
請求項６に記載の発明によれば、略門状で峰方向に伸びるベースカバーを設け、ベースカバーの上から屋根材全体を遮熱シートで覆い、ベースカバーの上に略逆門状で峰方向に伸びる押えバーを設け、遮熱シートをベースカバーと押えバーとで固定するようにすることで、遮熱シートを交換する場合、押えカバーだけを取り外して交換すればよく、効率的に作業を行うことができる。
【図面の簡単な説明】
【００１９】
【図１】本発明に係る屋根外装構造の概要の一例を示す説明図である。
【図２】同屋根外装構造の構造を示す説明図である。
【図３】同屋根外装構造の構造を示す説明図である。
【図４】同屋根外装構造の構造を示す説明図である。
【図５】同屋根外装構造の他の構造を示す説明図である。
【図６】同屋根外装構造の他の構造を示す説明図である。
【発明を実施するための形態】
【００２０】
以下、本発明の形態について図面を参照しながら具体的に説明する。図１は、本発明に係る屋根外装構造の概要の一例を示す説明図である。図２〜図４は、同屋根外装構造の構造を示す説明図である。
【００２１】
本発明にける屋根外装構造は、建築物の屋根表面を形成する屋根材に装着する構造であって、屋根の温度上昇を防止するために屋根の上にシートを設ける構造についてのものである。本発明における屋根外装構造は、波形の凹凸を有する屋根材の上面を覆う通気性を有さない遮熱シート１０と、屋根材の側方の屋根材と遮熱シート１０と間の開口部を塞ぐ封止部材２０とを備えた構造である。そして、本発明における屋根外装構造は、屋根材と遮熱シート１０との間に、空気層Ｓを設ける構造となっている。
【００２２】
次に、本発明における屋根外装構造に係る具体的な構造例を、図を用いて説明する。図１における屋根１は、例えば工場や事業所用の建築物のおける屋根構造であり、波形の凹凸を有する屋根材として折板３０が用いられている。そして、折板３０には、折板３０の上面を覆う通気性を有さない遮熱シート１０が設けられ、折板３０の側方の折板３０と遮熱シート１０と間の開口部を塞ぐ封止部材２０が嵌め込まれている。
【００２３】
遮熱シート１０は、表面がアルミ箔で形成されているもので、アルミ箔の下層に樹脂製シートからなる断熱層を有している。遮熱シート１０としては、特にアルミ箔の断熱層を有することが必須ではないが、遮熱シート１０の表面をアルミ箔で形成させることで、太陽からの輻射熱を抑えることができ、遮熱効果を一層高めることができる。また、遮熱シート１０のアルミ箔の下層に、樹脂製シートからなる断熱層を設けることで、遮熱効果を一層高めることができる。上述のように、遮熱シート１０を、アルミ箔のみで構成する場合、アルミ箔と樹脂シートとで構成させる場合以外にも、アルミ箔の最下層に、他のアルミ箔を有する構成にすることで（アルミ箔とアルミ箔との間に樹脂シートを設けてもよい）、冬期などに建築物の内部から放熱される輻射熱を反射することができ、冬期などに建築物を保温することが可能になる。
【００２４】
次に、折板３０の上面を覆うように遮熱シート１０を屋根１に被せて固定する構造を図２〜図４をもとに説明する。まず、通常の折板３０によって形成される屋根１は、鉄骨５４の上に下地材５０，５２が横臥して設けられ、その上に、折板３０が陸屋根を形成するように張り合わされる。具体的には、屋根１の上面に長尺で伸びる下地材５０の上に、細巾で山並状に形成されたタイトフレーム３２が、下地材５０上に長さ方向に沿って設けられる。そして、タイトフレーム３２の波形の凹凸も凸部の上面に、折板３０の端部の重ね合わせ部を保持するための吊子３４が、ボルト３６とナット３８を介して固定される。
【００２５】
吊子３４は、通常、タイトフレーム３２から起立する略Ｌ字状で、起立した端部は、折板３０の種類に応じた形状に形成されている。本実施の形態の吊子３４は、起立した端部が横方向に矢字状に折り曲げられている。そして、２枚の折板３０のそれぞれの端部が、吊子３４に嵌まり込むことで、それぞれの折板３０が重なり合ってのりしろを有する形で、張り合わされる。
【００２６】
次に、吊子３４の折板３０が重ね合わされた上に、上面が平坦な下方が開口した略Ｃ字状の棟金具４０が設けられ、棟金具４０の側面から螺挿されるボルト４２と棟金具４０の側面との間で、吊子３４の折板３０が重ね合わされた部分を挟持することにより、棟金具４０が、固定される。棟金具４０は、折板３０の峰に沿って所定の間隔で複数個設けるようにする。尚、棟金具４０の間隔と数は、後述する断熱シート１０の保持の度合いに応じて、適宜定めるようにする。
【００２７】
次に、棟金具４０の平坦な上面の上に、棟金具４０の上面を覆うように、略門状で峰方向に伸びるベースカバー２２を、ネジ２４を介して固定する。そして、ベースカバー２２の上から折板３０全体を遮熱シート１０で覆い、ベースカバー２２の上に略門状で峰方向に伸びる押えカバー２６を、ネジ２８を介して固定する。これにより、遮熱シート１０が、ベースカバー２２と押えカバー２６とで、屋根１に固定される。
【００２８】
最後に、上述したように、折板３０の側方の折板３０と遮熱シート１０と間の開口部に、封止部材２０を嵌め込むことで、折板３０と遮熱シート１０との間に、空気層が設けられる。尚、本実施の形態では、屋根１の屋根材として折板３０を用いて説明したが、必ずしも折板３０である必要はなく、波形の凹凸を有する屋根材であって断熱シート１０との間に空気層ができるものであればよい。
【００２９】
以上のような構造の屋根外層構造によれば、屋根材である折板３０と遮熱シート１０との間に、空気層を設けたことから、遮熱効果を高めることができる。さらに、遮熱シート１０をベースカバー２２と押えカバー２６とで固定するようにすることで、遮熱シート１０を交換する場合、押えカバー２６だけを取り外して交換すればよく、効率的に作業を行うことができる。
【００３０】
尚、上述の例では、ベースカバー２２の上から折板３０全体を遮熱シート１０で覆い、ベースカバー２２の上に略門状で峰方向に伸びる押えカバー２６を、ネジ２８を介して固定し、これにより、遮熱シート１０を、ベースカバー２２と押えカバー２６とで、屋根１に固定しているが、このような構成に限るものではない。具体的には、屋根外装構造の他の構造を示す説明図である図５及び図６に示すような構造もある。
【００３１】
具体的には、図５及び図６の棟金具４４は、棟金具４０と同様の構造で、吊子３４の折板３０が重ね合わされた上に設けられ、棟金具４４の側面から螺挿されるボルト４２と棟金具４４の側面との間で、吊子３４の折板３０が重ね合わされた部分を挟持することにより、棟金具４４が、固定される。棟金具４４は、折板３０の峰に沿って所定の間隔で複数個設けるようにする。尚、棟金具４４の間隔と数は、後述する断熱シート１０の保持の度合いに応じて、適宜定めるようにする。
【００３２】
次に、棟金具４４の平坦な上面の上に、棟金具４４の上面を覆うように、略門状で峰方向に伸びるベースカバー４６を、ネジ６４を介して固定する。そして、ベースカバー４６の上から折板３０全体を遮熱シート１０で覆い、ベースカバー４６の上に略逆門状で峰方向に伸びる押えバー６０を、ネジ６２を介して固定する。これにより、遮熱シート１０が、ベースカバー４６と押えバー６０とで、屋根１に固定される。
【００３３】
図５及び図６の構造によっても、遮熱シート１０をベースカバー４６と押えバー６０とで固定するようにすることで、遮熱シート１０を交換する場合、押えバー６０だけを取り外して交換すればよく、効率的に作業を行うことができる。
【産業上の利用可能性】
【００３４】
以上のように、本発明によれば、遮熱効果が高い屋根外装構造を提供することができる。
【符号の説明】
【００３５】
１・・・・屋根
１０・・・遮熱シート
２０・・・封止部材
２２・・・ベースカバー
２４・・・ネジ
２６・・・押えカバー
２８・・・ネジ
３０・・・折板
３２・・・タイトフレーム
３４・・・吊子
３６・・・ボルト
３８・・・ナット
４０・・・棟金具
４２・・・ボルト
４４・・・棟金具
４６・・・ベースカバー
５０・・・下地材
５２・・・下地材
５４・・・鉄骨
５６・・・外壁材
６０・・・押えバー
６２・・・ネジ
６４・・・ネジ
【図１】
2015143467.tif 000003
【図２】
2015143467.tif 000004
【図３】
2015143467.tif 000005
【図４】
2015143467.tif 000006
【図５】
2015143467.tif 000007
【図６】
2015143467.tif 000008